(57)【要約】【課題】  ハイブリッド車両の制御装置において、排ガス浄化性能を向上させることができる一方で、十分な出力性能を確保する。【解決手段】  このように本実施例のハイブリッド車両の制御装置にあっては、ＨＣ吸着触媒２９がＨＣ脱離状態にあることが推定または検出される場合に、エンジン１１の目標エンジントルクＥＴＱを減少する一方、電気モータ３２の目標モータトルクＭＴＱを増加するように、エンジン１１と電気モータと駆動力伝達機構３１を制御する。【選択図】        図１
2005113710.tif 000002
【特許請求の範囲】
【請求項１】
エンジンとモータとが駆動力伝達手段により連結されたパワープラントと、車両の運転状態に基づいてパワープラント要求トルクを設定して前記エンジン及び前記モータの作動を制御するパワープラント制御手段と、前記エンジンの排気通路に設けられた三元触媒と、該三元触媒の下流側における前記排気通路に設けられて冷態状態でＨＣを吸着すると共に温度が上昇すると吸着したＨＣを脱離するＨＣ吸着触媒とを具えたハイブリッド車両の制御装置において、前記パワープラント制御手段は、前記ＨＣ吸着触媒がＨＣ脱離状態にあることが推定または検出される場合に、前記エンジンの目標トルクを減少する一方、前記モータの目標トルクを増加するように前記エンジンと前記モータと前記駆動力伝達手段を制御することを特徴とするハイブリッド車両の制御装置。
【請求項２】
請求項１記載のハイブリッド車両の制御装置において、前記ＨＣ吸着触媒のＨＣ脱離状態に、前記エンジンの目標トルクの減少量及び前記モータの目標トルクの増加量は、前記ＨＣ吸着触媒の温度に応じて設定されることを特徴とするハイブリッド車両の制御装置。
【請求項３】
請求項１記載のハイブリッド車両の制御装置において、前記パワープラント制御手段は、前記モータを駆動するバッテリの充電量が所定値より大きい場合に、前記ＨＣ吸着触媒がＨＣ脱離状態にあることが推定または検出されると、前記エンジンの目標トルクを減少する一方、前記モータの目標トルクを増加するように前記エンジンと前記モータと前記駆動力伝達手段を制御することを特徴とするハイブリッド車両の制御装置。
【発明の詳細な説明】
【技術分野】
【０００１】
本発明は、エンジンとモータとを有すると共に、エンジンの排気通路に三元触媒とＨＣ吸着触媒とを有するハイブリッド車両の制御装置に関する。
【背景技術】
【０００２】
近年、地球環境の問題から排気ガスの発生を抑制するような、エンジンとモータとを駆動源とするハイブリッド車が実用化されている。このようなハイブリッド車では、運転状態に応じてモータの駆動だけで駆動輪を駆動したり、モータとエンジンの両者の駆動により駆動輪を駆動するようにしている。そして、このモータはバッテリに蓄積された電力により駆動することができ、このバッテリのエネルギが低下したときには、エンジンを駆動してバッテリの充電を行うようにしている。
【０００３】
また、エンジンの排気通路には、排気ガス中の有害物質である炭化水素（ＨＣ）と一酸化炭素（ＣＯ）と窒素酸化物（ＮＯｘ）を同時に浄化する三元触媒が設けられている。しかし、エンジンの冷態始動時にこの三元触媒は低温状態であり、活性化が遅れてＨＣ等の有害物質を効率よく浄化することができない。そこで、三元触媒の下流側に酸化機能を有するＨＣ吸着触媒を設け、冷態始動時にこのＨＣ吸着触媒で排気ガス中に含まれるＨＣを効率よく吸着すると同時に排気ガス熱で昇温し、ＨＣ吸着触媒が所定温度以上になると吸着したＨＣを脱離して酸化する技術が各種提案されている。
【０００４】
ところが、冷態始動時にＨＣ吸着触媒が排気ガス中のＨＣを効率よく吸着しても、このＨＣ吸着触媒がＨＣを脱離する温度よりもＨＣを酸化できる温度の方が高く、この期間はＨＣを確実に浄化処理することができない。図７に従来のハイブリッド車両の制御装置におけるエンジンの冷態始動時におけるＨＣの発生処理状況と温度変化を表すタイムチャートを示すが、この図７のタイムチャートからもわかるように、冷態始動時に三元触媒が活性化していないために出口側でのＨＣ排出量は多いが、その下流側のＨＣ吸着触媒がＨＣを吸着しているためにその出口側でのＨＣ排出量が少なくなっている。ところが、時間の経過に伴って高温の排ガスによりＨＣ吸着触媒が昇温され、このＨＣ吸着触媒がＨＣ脱離温度に達すると吸着したＨＣを脱離してしまい、ＨＣ吸着触媒の活性化温度に達するまでの所定時間Ｔは、ＨＣを十分に浄化することができず、排ガスを悪化させてしまうという問題がある。
【０００５】
そこで、ハイブリッド車両にて、ＨＣ吸着触媒の再生時に、吸着したＨＣを不用意に大気中に放出してしまう不都合を回避する技術が下記特許文献１として提案されている。
【０００６】
この特許文献１に記載された「車両用エンジンの排気装置」は、排ガス浄化触媒層の酸素保持量が所定値より低く、その前段のＨＣ吸着触媒から脱離したＨＣを十分に酸化処理できないときには、一時的に空燃比を高くするかまたは燃料を遮断し、排ガス浄化触媒層の酸素保持量を確保するようにし、このとき、モータを作動させてエンジントルクの低下を補うようにしたものである。
【特許文献１】特開２０００−０３８９２７
【発明の開示】
【発明が解決しようとする課題】
【０００７】
この従来の「車両用エンジンの排気装置」にあっては、ＨＣ吸着触媒より後段の排ガス浄化触媒層が、このＨＣ吸着触媒から脱離したＨＣを十分に酸化処理できないときには、一時的に空燃比を高くしたり燃料を遮断することで空気を増量し、排ガス浄化触媒層の酸素保持量を確保するようにしている。ところが、このときに、ドライバがアクセルを踏み込むと、エンジン回転数が上昇して排気流量が増加するため、ＨＣ吸着触媒から脱離したＨＣが十分に浄化されることなく大気に放出されることとなり、十分な排ガスの浄化効率を確保することができない。
【０００８】
本発明はこのような問題を解決するものであって、排ガス浄化性能を向上させることができる一方で、十分な出力性能を確保することのできるハイブリッド車両の制御装置を提供することを目的とする。
【課題を解決するための手段】
【０００９】
上述の目的を達成するために請求項１の発明のハイブリッド車両の制御装置は、エンジンとモータとが駆動力伝達手段により連結されたパワープラントと、車両の運転状態に基づいてパワープラント要求トルクを設定して前記エンジン及び前記モータの作動を制御するパワープラント制御手段と、前記エンジンの排気通路に設けられた三元触媒と、該三元触媒の下流側における前記排気通路に設けられて冷態状態でＨＣを吸着すると共に温度が上昇すると吸着したＨＣを脱離するＨＣ吸着触媒とを具えたハイブリッド車両の制御装置において、前記パワープラント制御手段は、前記ＨＣ吸着触媒がＨＣ脱離状態にあることが推定または検出される場合に、前記エンジンの目標トルクを減少する一方、前記モータの目標トルクを増加するように前記エンジンと前記モータと前記駆動力伝達手段を制御することを特徴とするものである。
【００１０】
請求項２の発明のハイブリッド車両の制御装置では、前記ＨＣ吸着触媒のＨＣ脱離状態に、前記エンジンの目標トルクの減少量及び前記モータの目標トルクの増加量は、前記ＨＣ吸着触媒の温度に応じて設定されることを特徴としている。
【００１１】
請求項３の発明のハイブリッド車両の制御装置では、前記パワープラント制御手段は、前記モータを駆動するバッテリの充電量が所定値より大きい場合に、前記ＨＣ吸着触媒がＨＣ脱離状態にあることが推定または検出されると、前記エンジンの目標トルクを減少する一方、前記モータの目標トルクを増加するように前記エンジンと前記モータと前記駆動力伝達手段を制御することを特徴としている。
【発明の効果】
【００１２】
請求項１の発明のハイブリッド車両の制御装置によれば、ＨＣ吸着触媒がＨＣ脱離状態にあることが推定または検出される場合に、エンジンの目標トルクを減少する一方、モータの目標トルクを増加するように、エンジンとモータと駆動力伝達手段を制御するので、エンジントルクを減少することで、ＨＣ吸着触媒に吸着されたＨＣが脱離するときの排気流量が低下することとなり、排ガスの浄化性能を向上させることができる一方で、モータトルクを増加させることで、パワープラント要求トルクを確実に確保することとなり、車両の十分な出力性能を確保することができる。
【００１３】
請求項２の発明のハイブリッド車両の制御装置によれば、ＨＣ吸着触媒のＨＣ脱離状態に、エンジンの目標トルクの減少量及びモータの目標トルクの増加量をＨＣ吸着触媒の温度に応じて設定するので、ＨＣ吸着触媒の温度からその活性状態を判定してエンジンの目標トルクとモータの目標トルクを設定することとなり、エンジンからの排出流量を適切に調整して良好な排ガス性能を確保することができる。
【００１４】
請求項３の発明のハイブリッド車両の制御装置によれば、モータを駆動するバッテリの充電量が所定値より大きい場合に、ＨＣ吸着触媒がＨＣ脱離状態にあることが推定または検出されると、エンジンの目標トルクを減少する一方、モータの目標トルクを増加するようにエンジンとモータと駆動力伝達手段を制御するので、バッテリの充電容量が十分確保されているときに、パワープラント要求トルクのほとんどをモータにより確保することができるため、車両の出力低下を防止して車両のドライバビリティを向上することができる。
【発明を実施するための最良の形態】
【００１５】
本発明のハイブリッド車両の制御装置を実施するための最良の形態は、ＨＣ吸着触媒がＨＣ脱離状態にあることが推定または検出される場合に、エンジンの目標トルクを減少する一方、モータの目標トルクを増加するようにエンジンとモータと駆動力伝達手段を制御するようにしたものであり、以下に、本発明の実施例を図面を用いて詳細に説明する。
【実施例１】
【００１６】
図１に本発明の第１実施例に係るハイブリッド車両の制御装置の概略構成、図２に第１実施例のハイブリッド車両の制御装置による制御のフローチャート、図３にパワープラントの要求トルクに対する要求エンジントルクを表すグラフ、図４にＨＣ吸着触媒温度に対するトルク係数を表すグラフ、図５に第１実施例のハイブリッド車両の制御装置による冷態始動時におけるＨＣの発生処理状況と温度変化を表すタイムチャートを示す。
【００１７】
本実施例のハイブリッド車両の制御装置において、図１に示すように、搭載されるエンジン１１は、例えば、燃焼室内に直接燃料を噴射する筒内噴射式エンジンであって、ストイキオモード、吸気リーンモード、圧縮リーンモード、オープンループモード、燃料カットモードに切り換え可能となっている。このエンジン１１はシリンダヘッドに気筒ごとに点火プラグ１２及びインジェクタ１３が取付けられ、ピストン１４の上方に形成される燃焼室１５内にこのインジェクタ１３の噴射口が開口し、燃料が燃焼室１５内に直接噴射されるようになっている。また、シリンダヘッドには燃焼室１５を臨む吸気ポート１６及び排気ポート１７が形成され、吸気ポート１６は吸気弁１８により開閉され、排気ポート１７は排気弁１９により開閉される。そして、エンジン１１には同期して回転駆動することで、発電する発電機２０が装着されている。なお、このエンジン１１には各気筒の所定のクランク位置でクランク角信号を出力するクランク角センサ２１が設けられ、クランク角センサ２１はエンジン回転数を検出可能となっている。
【００１８】
また、吸気ポート１６には吸気管２２が接続され、空気取入口にはエアクリーナ２３が取付けられており、この吸気管２２には電子制御スロットル弁２４及びスロットルポジションセンサ２５が取付けられると共に、このスロットル弁２４の上流側にはエアフローセンサ２６が取付けられている。一方、排気ポート１７には排気管２７が接続されており、この排気管２７には、三元触媒２８とＨＣ吸着触媒２９が設けられている。この三元触媒２８は、排ガス中の有害物質であるＨＣとＣＯとＮＯｘを同時に浄化するものであり、ＨＣ吸着触媒２９は、エンジン１１の冷態状態に、排ガス中に含まれるＨＣを効率よく吸着すると同時に、排ガス熱で昇温されて所定温度以上になると吸着したＨＣを脱離して酸化するものである。そして、ＨＣ吸着触媒２９の上流側の排気管２７に排ガス温度を検出する温度センサ４３が設けられている。
【００１９】
このように構成されたエンジン１１のクランク軸３０は駆動力伝達機構３１を介して電気モータ３２の出力軸３３と断接可能となっており、この駆動力伝達機構３１は遊星歯車機構などの減速機能を有している。そして、この電気モータ３２はバッテリ３５から電力の供給を受けて駆動可能であると共に、エンジン１１からの駆動力を受けて発電して電力をバッテリ３５に充電可能となっている。なお、前述したエンジン１１の発電機２０が発電して電力もこのバッテリ３５に充電可能となっている。そして、この電気モータ３２の出力軸３３は変速機３６に接続されており、変速機３６の出力軸３７デファレンシャルギヤ３８に接続され、左右の車軸３９に駆動輪４０が装着されている。
【００２０】
また、車両にはエンジン１１や電気モータ３２などを制御する電子制御プラント（ＥＣＵ）４１が設けられ、このＥＣＵ４１には、入出力装置、制御プログラムや制御マップ等の記憶を行う記憶装置、中央処理装置及びタイマやカウンタ類が具備されており、このＥＣＵ４１によりエンジン１１や電気モータ３２の総合的な制御が実施される。即ち、前述したクランク角センサ２１、スロットルポジションセンサ２５、エアフローセンサ２６に加えてドライバが踏み込むアクセルペダルのポジションセンサ４２などの各種センサ類の検出情報がＥＣＵ４１に入力され、このＥＣＵ４１が各種センサ類の検出情報に基づいて、燃料噴射モードや燃料噴射量、点火時期等を決定し、点火プラグ１２、インジェクタ１８のドライバ、スロットル弁２４の駆動モータ等を駆動制御する。
【００２１】
また、バッテリ３５には、その充電容量を検出するバッテリ容量センサ４４が設けられており、ＥＣＵ４１にこのバッテリ容量センサ４４が検出したバッテリ３５の充電容量が入力されており、このバッテリ充電容量に応じて電気モータ３２を制御している。
【００２２】
このように構成されたハイブリッド車両の制御装置では、エンジン１１と電気モータ３２によりパワープラントが構成されている。そして、アクセルポジションセンサ４２が検出したアクセル開度ＡＰＳと、クランク角センサ２１が検出したエンジン回転数Ｎｅとに基づいてこのパワープラントが必要とする要求トルクＰＴＱが設定され、この要求トルクＰＴＱとバッテリ３５の充電容量ＳＯＣとに基づいて目標モータトルクＭＴＱが設定される一方、要求トルクＰＴＱから目標モータトルクＭＴＱを減算して目標エンジントルクＥＴＱが設定される。なお、要求トルクＰＴＱは、アクセル開度ＡＰＳと車速Ｖから車両の駆動力を求め、ギヤ比を乗じて求めても良い。そして、目標エンジントルクＥＴＱからエンジン１１が最良燃費となる回転数が設定され、これに基づいて目標モータトルクＭＴＱと目標エンジントルクＥＴＱが補正される。ＥＣＵ４１は、このように設定された目標モータトルクＭＴＱと目標エンジントルクＥＴＱに基づいてエンジン１１と電気モータ３２を制御すると共に、エンジン１１の回転数と電気モータ３２の回転数が適正となるように駆動力伝達機構３１を制御することで、ハイブリッド車両は運転者の要求通りに走行することができる。
【００２３】
一方、エンジン１１の冷態始動時には、三元触媒２８が不活性状態にあるため、排ガスはこの三元触媒２８を通過してＨＣ吸着触媒２９に導入されることとなり、ここで、排ガスに含まれるＨＣがこのＨＣ吸着触媒２９により効率よく吸着される。そして、所定時間が経過して排ガス熱により三元触媒２８が活性化したら、排ガスに含まれる有害物質がこの三元触媒２９で効率よく浄化処理され、浄化した排ガス気が外部に排出される。
【００２４】
ところが、エンジン１１の冷態始動時に、ＨＣ吸着触媒２９が排ガス中のＨＣを効率よく吸着しても、このＨＣ吸着触媒２９がＨＣを脱離する脱離温度よりもＨＣを酸化できる活性化温度の方が高く、この期間はＨＣ吸着触媒２９がＨＣを確実に浄化処理することができない。そこで、本実施例では、ＥＣＵ４１は、ＨＣ吸着触媒２９がＨＣ脱離状態にあることが推定または検出される場合に、目標エンジントルクＥＴＱを減少する一方、目標モータトルクＭＴＱを増加するようにエンジン１１とモータ３２と駆動力伝達機構３１とを制御するようにしている。従って、エンジントルクが減少することでＨＣ吸着触媒２９に吸着されたＨＣが脱離するときの排気流量が低下し、排ガスの浄化性能を向上させることができる一方で、モータトルクを増加させることでパワープラントの要求トルクＰＴＱを確実に確保し、車両の十分な出力性能を確保することができる。
【００２５】
以下、上述した本実施例のハイブリッド車両の制御装置におけるＥＣＵ４１の制御を図２のフローチャート並びに図５のタイムチャートに基づいて詳細に説明する。
【００２６】
図２に示すように、ステップＳ１にて、ＥＣＵ４１は、クランク角センサ２１が検出したエンジン回転数Ｎｅとアクセルポジションセンサ４２が検出したアクセル開度ＡＰＳとを読み込み、ステップＳ２にて、このエンジン回転数Ｎｅとアクセル開度ＡＰＳに基づいてパワープラントが必要とする要求トルクＰＴＱを決定する。そして、ステップＳ３にて、エンジン１１が始動してから所定時間が経過したかどうかを判定し、始動後に所定時間が経過していなければ、三元触媒２８が十分に活性していない状態にあるとしてステップＳ４に移行する。
【００２７】
このステップＳ４では、バッテリ容量センサ４３が検出したバッテリ３５の充電容量ＳＯＣが所定値より大きいかどうか、つまり、電気モータ３２の駆動だけで十分に走行可能であるかどうかを判定する。ここで、バッテリ３５の充電容量ＳＯＣが所定値より大きければ、ステップＳ５にて、ＨＣ吸着触媒２９の温度を推定または検出する。具体的には、温度センサ４４により検出された排気ガス温度からＨＣ吸着触媒２９の触媒温度Ｔcatが推定されるが、この温度センサ４４とＨＣ吸着触媒２９とが多少なりとも離れて配置されていることに起因する誤差を補正するために、目標平均有効圧Ｐｅとエンジン回転数Ｎｅとに応じて設定された図示しない温度差マップ（エンジン出口温度とＨＣ吸着触媒との温度差を考慮したマップ）を用いて推定されるようになっている。なお、ＨＣ吸着触媒２９に温度センサを設けることで、触媒温度Ｔcatを直接検出するようにしても良い。
【００２８】
ステップＳ５でＨＣ吸着触媒２９の温度が推定または検出されたら、ステップＳ６にて、ＨＣ吸着触媒２９の温度がＨＣを脱離する温度域にあるかどうかを判定する。ここで、ＨＣ吸着触媒２９の温度がＨＣ脱離温度領域、つまり、ＨＣ脱離温度以上で、且つ、活性化温度以下であれば、ＨＣ吸着触媒２９から脱離したＨＣを確実に酸化処理できないと判定し、ステップＳ７に移行する。このステップＳ７では、ステップＳ２で求めたパワープラントの要求トルクＰＴＱに基づいて設定された目標エンジントルクＥＴＱを、ＨＣ吸着触媒２９の温度、つまり、活性状態に基づいて減少させる。
【００２９】
この場合、ＨＣ脱離状態における目標エンジントルクＥＴＱは、図３のグラフに基づいて設定し、図４のグラフに基づいて補正して求めるものであり、下記数式１により演算することができる。なお、ＥＴＱ1は通常運転時の目標エンジントルクマップ値、ＥＴＱHCはＨＣ脱離状態の目標エンジントルクマップ値、Ｋはエンジントルク係数である。
ＥＴＱ＝ＥＴＱ1−（ＥＴＱ1−ＥＴＱHC）×Ｋ          ・・・（１）
なお、エンジン１１の出力性能に応じて通常運転時の目標エンジントルクマップ値ＥＴＱ1が設定され、電気モータ３２の出力性能に応じてＨＣ脱離状態の目標エンジントルクマップ値ＥＴＱHCが設定されるものであるが、そのマップ値は適宜設定すればよいものである。また、ＨＣ脱離状態における目標エンジントルクＥＴＱはＨＣ吸着触媒２９の温度に基づくエンジントルク係数Ｋに応じて可変となっているが、図４のグラフにて、エンジントルク係数Ｋが０から１．０に移行する変化率や１．０から０に移行する変化率、そして、その変化する時期は、ＨＣ吸着触媒２９の性能等に応じて適宜設定すればよいものである。
【００３０】
そして、ステップＳ７でＨＣ脱離状態における目標エンジントルクＥＴＱが設定されると、ステップＳ８では、パワープラントの要求トルクＰＴＱからエンジン１１の目標エンジントルクＥＴＱを減算することで、電気モータ３２の目標モータトルクＭＴＱを設定する。
【００３１】
即ち、エンジン１１が始動直後であって三元触媒２８が不活性状態で、ＨＣ吸着触媒２９の温度がＨＣを脱離する温度領域にある（Ｓ６）とき、バッテリ３５の充電容量ＳＯＣが十分ある（Ｓ４）ことを条件として、目標エンジントルクＥＴＱを減少する一方、目標モータトルクＭＴＱを増加し、ハイブリッド車両を電気モータ３２のトルクを中心に走行させ、エンジン１１の負担を軽減する。従って、エンジン１１の始動直後に、ＨＣ吸着触媒２９がＨＣを脱離する状態となっても、エンジン１１が低負荷運転となって排ガス流量が低下するため、脱離するＨＣが減少することとなり、排ガスの浄化性能を向上させることができる。一方、パワープラントの要求トルクＰＴＱはほとんどが電気モータ３２が出力することとなり、ハイブリッド車両はドライバが要求した出力性能を確実に確保することができる。
【００３２】
そして、ステップＳ３でエンジン１１の始動後に所定時間が経過したり、ステップＳ６でＨＣ吸着触媒２９が昇温されて活性化領域に入ったら、三元触媒２８またはＨＣ吸着触媒２９が活性状態になったものと推測されるため、ステップＳ９に移行し、通常運転時のパワープラント制御を実行する。即ち、ＥＣＵ４１が、パワープラントの要求トルクＰＴＱに対して、エンジン最良燃費回転数やバッテリ３５の充電容量ＳＯＣなどに基づいて目標モータトルクＭＴＱと目標エンジントルクＥＴＱを設定し、エンジン１１と電気モータ３２を制御する。このとき、三元触媒２８は、排ガス中の有害物質を確実に浄化処理することができる。
【００３３】
このような制御によるハイブリッド車両の運転状態を詳細に説明すると、図５に示すように、エンジン１１の冷態始動時に三元触媒２８が活性化していないためにその出口側でのＨＣ排出量は多いが、ＨＣ吸着触媒２９が機能しているためにＨＣ排出量はほとんどない状態となっている。そして、エンジン１１の始動後に所定時間が経過して、ドライバがアクセルペダルを踏み込むと、アクセル開度ＡＰＳとエンジン回転数Ｎｅが上昇し、エンジントルクが上昇して排ガス流量が増加し、ＨＣ吸着触媒２８が昇温されてＨＣが脱離する温度領域に入る。すると、前述したように、目標エンジントルクＥＴＱを減少して目標モータトルクＭＴＱを増加するため、エンジン回転数Ｎｅが低下してエンジントルクも低下すると共に排ガス流量も減少する。従って、全体の排気流量が減少するために、ＨＣ吸着触媒２９の出口側でのＨＣ排出量を減少することとなる。一方、エンジントルクが低下した分のトルクを電気モータ３２で確保するため、このモータトルクが上昇し、ハイブリッド車両はドライバが要求した出力性能を確保できる。その後、ＨＣ吸着触媒２９が昇温されて活性化領域に入ると、エンジン１１及び電気モータ３２を通常通りに制御する。
【００３４】
このように本実施例のハイブリッド車両の制御装置にあっては、ＨＣ吸着触媒２９がＨＣ脱離状態にあることが推定または検出される場合に、エンジン１１の目標エンジントルクＥＴＱを減少する一方、電気モータ３２の目標モータトルクＭＴＱを増加するように、エンジン１１と電気モータと駆動力伝達機構３１を制御するようにしている。
【００３５】
従って、エンジン１１のトルクが減少することで、ＨＣ吸着触媒２９に吸着されたＨＣが脱離するときの排気流量が低下することとなり、排ガスの浄化性能を向上させることができる一方で、電気モータ３２のトルクを増加させることで、パワープラント要求トルクＰＴＱを確実に確保することとなり、車両の十分な出力性能を確保することができる。
【００３６】
また、ＨＣ吸着触媒２９の温度がＨＣ脱離温度領域にあるとき、バッテリ３５の充電容量ＳＯＣが十分あることを条件として、ハイブリッド車両を電気モータ３２のトルクを中心にして走行させ、エンジン１１を低負荷運転しており、ドライバの出力要求に対して車両の出力低下を防止し、ドライバビリティを向上することができる。
【００３７】
なお、上述の実施例では、ステップＳ３の処理にて、エンジン１１が始動してから所定時間が経過したときに、三元触媒２８が十分に活性していない状態にあるとしてステップＳ４以降の処理を行うようにしたが、ＨＣ吸着触媒２９または三元触媒２８の温度を推定・検出し、この温度が活性化温度を超えたときに活性化フラグを立て、ステップＳ３では、この活性化フラグがたっていないときにステップＳ４以降の処理を行うようにしてもよい。
【実施例２】
【００３８】
図６に本発明の第２実施例に係るハイブリッド車両の制御装置による制御のフローチャートを示す。なお、第２実施例のハイブリッド車両の制御装置の構成は、前述した第１実施形態で説明したものと同様であるものの、駆動力伝達機構３１は遊星歯車機構などの減速機能に加えて駆動力伝達を切断するクラッチ機能も有している。
【００３９】
第２実施例のハイブリッド車両の制御装置において、図６に示すように、ステップＳ１１にて、ＥＣＵ４１は、エンジン回転数Ｎｅとアクセル開度ＡＰＳとを読み込み、ステップＳ１２にて、このエンジン回転数Ｎｅとアクセル開度ＡＰＳに基づいてパワープラントが必要とする要求トルクＰＴＱを決定する。そして、ステップＳ１３にて、エンジン１１が始動してから所定時間が経過したかどうかを判定し、始動後に所定時間が経過していなければ、三元触媒２８が十分に活性していない状態にあるとしてステップＳ１４に移行する。
【００４０】
ステップＳ１４では、バッテリ３５の充電容量ＳＯＣが所定値より大きいかどうかを判定し、ここで、バッテリ３５の充電容量ＳＯＣが所定値より大きければ、ステップＳ１５にて、ＨＣ吸着触媒２９の温度Ｔcatを温度センサ４４が検出した排気ガス温度から推定し、ステップＳ１６にて、ＨＣ吸着触媒２９の温度がＨＣを脱離する温度域にあるかどうかを判定する。ここで、ＨＣ吸着触媒２９の温度がＨＣ脱離温度領域、つまり、ＨＣ脱離温度以上で、且つ、活性化温度以下であれば、ＨＣ吸着触媒２９から脱離したＨＣを確実に酸化処理できないと判定し、ステップＳ１７に移行する。このステップＳ１７では、ステップＳ１２で求めたパワープラントの要求トルクＰＴＱが所定値、例えば、バッテリ３５の充電容量ＳＯＣから算出されるモータ最大発生トルクより大きいかどうかを判定する。ここで、要求トルクＰＴＱが所定値（モータ最大発生トルク）以上でなければ、ステップＳ２０に移行し、駆動力伝達機構３１のクラッチ機能を切断状態としてエンジン１１と電気モータ３２との駆動伝達を絶ち、ステップＳ２１で電気モータ３２の目標モータトルクＭＴＱをパワープラントの要求トルクＰＴＱに設定し、ステップＳ２２でエンジン１１を低負荷運転、つまり、アイドル運転する。
【００４１】
即ち、エンジン１１が始動直後であって三元触媒２８が不活性状態で、ＨＣ吸着触媒２９の温度がＨＣを脱離する温度領域にある（Ｓ１６）とき、バッテリ３５の充電容量ＳＯＣが十分あり（Ｓ１４）、要求トルクＰＴＱが所定値以上でない（Ｓ１７）ことを条件として、ハイブリッド車両を電気モータ３２のみにより走行させ、電気モータ３２からエンジン１１を切り離してアイドル運転とする。従って、エンジン１１の始動直後に、ＨＣ吸着触媒２９がＨＣを脱離する状態となっても、エンジン１１がアイドル運転であるために排ガス流量が低下するため、脱離するＨＣが減少することとなり、排ガスの浄化性能を向上させることができる。一方、パワープラントの要求トルクＰＴＱは電気モータ３２だけで出力することとなり、ハイブリッド車両はドライバが要求した出力性能を確実に確保することができる。
【００４２】
一方、ステップＳ１７で、要求トルクＰＴＱが所定値（モータ最大発生トルク）以上であれば、ステップＳ１８に移行し、パワープラントの要求トルクＰＴＱに基づいて設定された目標エンジントルクＥＴＱを、ＨＣ吸着触媒２９の温度、つまり、活性状態に基づいて減少させる。この場合、前述した第１実施例と同様に、ＨＣ脱離状態における目標エンジントルクＥＴＱを下記数式１により演算する。
ＥＴＱ＝ＥＴＱ1−（ＥＴＱ1−ＥＴＱHC）×Ｋ          ・・・（１）
そして、ステップＳ１８ＨＣ脱離状態における目標エンジントルクＥＴＱが設定されると、ステップＳ１９では、パワープラントの要求トルクＰＴＱからエンジン１１の目標エンジントルクＥＴＱを減算することで、電気モータ３２の目標モータトルクＭＴＱを設定する。
【００４３】
従って、エンジン１１の始動直後に、ＨＣ吸着触媒２９がＨＣを脱離する状態となっても、エンジン１１が低負荷運転となって排ガス流量が低下するため、脱離するＨＣが減少することとなり、排ガスの浄化性能を向上させることができる。一方、パワープラントの要求トルクＰＴＱはほとんどが電気モータ３２が出力することとなり、ハイブリッド車両はドライバが要求した出力性能を確実に確保することができる。
【００４４】
なお、ステップＳ１３でエンジン１１の始動後に所定時間が経過したり、ステップＳ１６でＨＣ吸着触媒２９が昇温されて活性化領域に入ったら、三元触媒２８またはＨＣ吸着触媒２９が活性状態になったものと推測されるため、ステップＳ９に移行し、通常運転時のパワープラント制御を実行する。
【００４５】
このように第２実施例のハイブリッド車両の制御装置にあっては、ＨＣ吸着触媒２９がＨＣ脱離状態にあることが推定または検出される場合、要求トルクＰＴＱが所定値以上でなければ、伝達クラッチ３１を切断してエンジン１１と電気モータ３２との駆動伝達を絶ち、パワープラントの要求トルクＰＴＱを電気モータ３２の目標トルクＭＴＱとしてこの電気モータ３２の作動を制御する一方、エンジン１１を低負荷状態で作動するようにしている。
【００４６】
ＨＣ吸着触媒２９に吸着されたＨＣが脱離するときの排気流量が低下することとなり、排ガスの浄化性能を向上させる一方で、要求トルクＰＴＱを電気モータ３２により確保することで、ハイブリッド車両の十分な出力性能を確保することができ、ドライバの出力要求に対して車両の出力低下を防止し、ドライバビリティを向上することができる。また、上記実施例では、エンジンの一例として筒内噴射式エンジンを用いて説明したが、吸気通路に燃料噴射を行うエンジンにも同様に適用することができる。
【図面の簡単な説明】
【００４７】
【図１】本発明の第１実施例に係るハイブリッド車両の制御装置の概略構図である。
【図２】第１実施例のハイブリッド車両の制御装置による制御のフローチャートである。
【図３】パワープラントの要求トルクに対する要求エンジントルクを表すグラフである。
【図４】ＨＣ吸着触媒温度に対するトルク係数を表すグラフである。
【図５】第１実施例のハイブリッド車両の制御装置による冷態始動時におけるＨＣの発生処理状況と温度変化を表すタイムチャートである。
【図６】本発明の第２実施例に係るハイブリッド車両の制御装置による制御のフローチャートである。
【図７】従来のハイブリッド車両制御装置におけるエンジンの冷態始動時におけるＨＣの発生処理状況と温度変化を表すタイムチャートである。
【符号の説明】
【００４８】
１１  エンジン
２１  クランク角センサ
２７  排気管
２８  三元触媒
２９  ＨＣ吸着触媒
３１  駆動力伝達機構
３２  電気モータ
４１  電子制御プラント、ＥＣＵ（パワープラント制御手段）
４２  アクセルポジションセンサ
４３  バッテリ容量センサ
４４  温度センサ
【図１】
2005113710.tif 000003
【図２】
2005113710.tif 000004
【図３】
2005113710.tif 000005
【図４】
2005113710.tif 000006
【図５】
2005113710.tif 000007
【図６】
2005113710.tif 000008
【図７】
2005113710.tif 000009